(57)【要約】【課題】外圧による破損等の防止対策をカード側でなく装置本体側で行うことにより、使用するカードを限定することなく接続コネクタ部を保護する。【解決手段】カード挿入口１８及び挿入保持されたカード８のカード側接続コネクタ８１と電気的に接続される装置側接続コネクタ１１が設けられたカード挿入保持部１を有する情報処理装置において、カード挿入保持部１は、装置本体５に対しカード挿入方向Ｘ１に沿って往復移動可能に取り付けられるとともに、コイルバネ６１によってカード挿入方向Ｘ１とは反対方向Ｘ２に常に付勢されており、挿入保持されたカード８にカード挿入方向Ｘ１の外圧が加わると、カード挿入保持部１が装置本体５に対してカード挿入方向Ｘ１に移動することによって外圧を吸収する。【選択図】  図４
2005011213.tif 000002
【特許請求の範囲】
【請求項１】
カード挿入口及び挿入保持されたカードのカード側接続コネクタと電気的に接続される装置側接続コネクタが設けられたカード挿入保持部を有する情報処理装置において、
前記カード挿入保持部は、前記装置本体に対しカード挿入方向に沿って往復移動可能に取り付けられるとともに、付勢手段によってカード挿入方向とは反対方向に常に付勢されており、挿入保持されたカードにカード挿入方向の外圧が加わると、前記カード挿入保持部が前記装置本体に対してカード挿入方向に移動することによって外圧を吸収することを特徴とするカード挿入保持部を有する情報処理装置。
【請求項２】
前記装置本体には、前記カード挿入保持部をカード挿入方向と反対方向への移動を規制する移動規制手段が設けられており、前記カード挿入保持部は、外圧が加わらない状態では前記付勢手段によって前記移動規制手段で規制される位置に保たれることを特徴とする請求項１に記載のカード挿入保持部を有する情報処理装置。
【請求項３】
前記カード挿入保持部のカード挿入方向に直交する左右の側壁に、カード挿入方向に沿ってスライドレール部が形成されるとともに、前記カード挿入保持部の左右の側壁に対向する前記装置本体側の左右の側壁に前記スライドレール部が嵌まり合うスライド溝部が設けられ、このスライド溝部の端部が前記移動規制手段を構成していることを特徴とする請求項２に記載のカード挿入保持部を有する情報処理装置。
【請求項４】
前記カード挿入保持部のカード挿入方向に直交する左右の側壁に係合凹部が形成されるとともに、前記カード挿入保持部の左右の側壁に対向する前記装置本体側の左右の側壁に前記係合凹部と係脱可能な係合突起部が設けられ、この係合突起部は、カード挿入方向に直交する左右方向に往復移動可能に設けられるとともに、装置本体に取り付けられた第２付勢手段によってカード挿入保持部の前記係合凹部に係合するように常に付勢されており、挿入保持されたカードにカード挿入方向の一定以上の外圧が加わると、前記第２付勢手段の付勢力に抗して前記係合突起部が前記係合凹部から退出して係合が解除されるように設けられていることを特徴とする請求項１ないし請求項３のいずれかに記載のカード挿入保持部を有する情報処理装置。
【請求項５】
係合を解除するための前記一定以上の外圧は、カードをカード挿入保持部に挿入保持するときの圧力よりは大きく、かつ、両接続コネクタ部分が破損に至るときの圧力よりは小さい圧力に設定されていることを特徴とする請求項４に記載のカード挿入保持部を有する情報処理装置。
【発明の詳細な説明】
【０００１】
【発明の属する技術分野】
本発明は、カード挿入口及び挿入保持されたカードのカード側コネクタと電気的に接続される装置側コネクタが設けられたカード挿入保持部を有する情報処理装置に係り、より詳細には、挿入保持されたカードの一部がカード挿入口から装置本体外へ若干突出するような構造のカード挿入保持部を有する情報処理装置に関する。
【０００２】
【従来の技術】
図９ないし図１２は、従来の情報処理装置のカード挿入保持部の構造の一例を示している。ただし、図９は装置本体の要部斜視図、図１０及び図１１は装置本体を一部を切除した状態の要部斜視図である。
【０００３】
すなわち、装置本体１００の上面には、液晶等からなる表示部１０１とキー入力部１０２とが設けられており、この装置本体１００の上部（図では手前側）にカード挿入保持部１１０が設けられている。
【０００４】
カード挿入保持部１１０は、装置本体１００の一側面（この例では手前側の短側面）に形成されたカード挿入口１１２と、このカード挿入口１１２に対向するように装置本体１００内に設けられた接続コネクタ部１１３とからなる。
【０００５】
接続コネクタ部１１３は、挿入されるカード一体型電子機器（以下、単に「カード」という。）２０１の挿入先端部に形成されたカード側接続コネクタ２０１ａ部分を受け止めて、カード２０１を安定的に保持するために、カード挿入口１１２に向けて開口するコ字状に形成されている。そして、この接続コネクタ部１１３の対向面１１３ａに、カード２０１のカード側接続コネクタ２０１ａを差し込んで図示しない内部のメイン基板と電気的に接続するための装置側接続コネクタ１１３ｂが設けられている。
【０００６】
接続コネクタ部１１３は、図示は省略しているが装置本体１００内に固定的に設けられている。従って、カード挿入口１１２から挿入されたカード２０１が、カード側接続コネクタ２０１ａと装置側接続コネクタ１１３ｂとの接続関係でのみ支持される構造であると、この状態でカード２０１に外圧（ストレス）が加わったとき、このストレスはカード２０１を介して両接続コネクタ２０１ａ，１１３ｂに伝わることになる。そして、このストレスの大きさが、少なくとも一方の接続コネクタ２０１ａまたは１１３ｂ部分の強度を超えると、その時点でカード２０１自体または接続コネクタ部分または装置本体１００側のメイン基板が破損することになる。
【０００７】
そこで、このようなカードへの外圧による接続コネクタ部分の破損を防止するように構成された電子機器が提案されている（例えば、特許文献１参照）。
【０００８】
この電子機器は、カードユニットに当接部材を設け、カードユニットの第１コネクタの先端面が端末装置の第２コネクタの受け面に当接する前に、当接部材の先端面がカード挿入口の受け面に当接し、カードがそれ以上挿入できない構造となっている。
【０００９】
【特許文献１】
特開平７−３２５８９３号公報
【００１０】
【発明が解決しようとする課題】
上記電子機器では、カードユニット側にストッパーである当接部材を設けることにより、接続コネクタの保護を行っているが、これでは使用するカードそれぞれに当接部材を設けるといった対策を行う必要があるといった問題があった。また、カードの外形形状によっては、このようなストッパーを設けることができず、対策が不可能な場合もあった。
【００１１】
本発明はかかる問題点を解決すべく創案されたもので、その目的は、外圧による破損等の防止対策をカード側でなく装置本体側で行うことにより、使用するカードを限定することなく接続コネクタ部を保護できるカード挿入保持部を有する情報処理装置を提供することにある。
【００１２】
【課題を解決するための手段】
本発明のカード挿入保持部を有する情報処理装置は、カード挿入口及び挿入保持されたカードのカード側コネクタと電気的に接続される装置側コネクタが設けられたカード挿入保持部を備えている。このカード挿入保持部は、装置本体に対しカード挿入方向に沿って往復移動可能に取り付けられるとともに、付勢手段によってカード挿入方向とは反対方向に常に付勢されており、挿入保持されたカードにカード挿入方向の外圧が加わると、カード挿入保持部が装置本体に対してカード挿入方向に移動することによって外圧を吸収することを特徴としている。すなわち、挿入されたカードに外圧が加わると、この外圧をカード挿入保持部の弾性移動によって緩やかに吸収する構造としたので、接続コネクタ部を外圧から保護することができる。
【００１３】
本発明によれば、装置本体には、カード挿入保持部をカード挿入方向と反対方向への移動を規制する移動規制手段が設けられており、カード挿入保持部は、外圧が加わらない状態では付勢手段によって移動規制手段で規制される位置に保たれることを特徴としている。このように、カード挿入保持部はカード挿入方向に沿って往復移動可能に設けられているが、付勢手段と移動規制手段とによって、外圧が加わらない状態では、常に定位置に保たれるようになっている。
【００１４】
また、本発明によれば、カード挿入保持部のカード挿入方向に直交する左右の側壁に、カード挿入方向に沿ってスライドレール部を形成し、カード挿入保持部の左右の側壁に対向する装置本体側の左右の側壁に、スライドレール部が嵌まり合うスライド溝部を設けている。これにより、カード挿入保持部は、スライド溝部に案内される形で、スムーズな往復移動を行うことが可能となっている。この場合、このスライド溝部の端部、具体的には、カード挿入口側に近い端部が移動規制手段を構成することになる。
【００１５】
また、本発明によれば、カード挿入保持部のカード挿入方向に直交する左右の側壁に係合凹部を形成するとともに、カード挿入保持部の左右の側壁に対向する装置本体側の左右の側壁に、係合凹部と係脱可能な係合突起部を設けている。そして、この係合突起部を、カード挿入方向に直交する左右方向に往復移動可能に設けるとともに、装置本体に取り付けられた第２付勢手段によってカード挿入保持部の係合凹部に係合するように常に付勢しており、挿入保持されたカードにカード挿入方向の一定以上の外圧が加わると、第２付勢手段の付勢力に抗して係合突起部が係合凹部から退出し、係合が解除されるように設けている。この場合、係合を解除するための前記一定以上の外圧は、カードをカード挿入保持部に挿入保持するときの圧力よりは大きく、かつ、両接続コネクタ部分が破損に至るときの圧力よりは小さい圧力に設定する。これにより、ユーザがカードを挿入するときには、カード挿入保持部は定位置に固定された状態となっているので、違和感なくスムーズに挿入することができる。一方、カード挿入時の圧力より大きな圧力がカードに加わった場合には、係合凹部と係合突起部の係合状態が解除されるので、カード挿入保持部は、カード挿入方向に沿ってスライド移動し、加わった外圧を迅速かつスムーズに吸収して、接続コネクタ部分の破損を防止する。
【００１６】
【発明の実施の形態】
以下、本発明の実施の形態について、図面を参照して説明する。
【００１７】
図１ないし図６は、本実施形態の情報処理装置を示しており、図１は要部分解斜視図、図２はカードを挿入した状態を示す要部斜視図、図３は挿入したカードに外圧を加えたときの状態を示す要部斜視図、図４は図２に示すＡ−Ａ線断面図、図５は図３に示すＢ−Ｂ線断面図、図６は図２に示すＣ−Ｃ線断面図である。
【００１８】
本実施形態の情報処理装置は、カード挿入保持部１が装置本体５に対して独立した構造となっている。
【００１９】
装置本体５は、上部表面に図示しない表示部及びキー入力部が配置され、内部底面５１にメイン基板５２が実装されている。また、装置本体５の上部手前側は開口された状態となっており、この開口部５３にカード挿入保持部１がスライド可能に取り付けられている。
【００２０】
この開口部５３に取り付けられるカード挿入保持部１は、図１に示すように、装置本体側接続コネクタ部１１を有する平板形状の底板部材１２と、天面１３、左右側面１４，１５、前面１６、及びカード挿入口１８を有する後面１７からなる底面が開口した箱形状の天板部材１９とからなり、天板部材１９の底面開口部に底板部材１２を嵌め込んで接着等することにより、天板部材１９と底板部材１２とを一体的に組み付ける構造となっている。また、左右側面１４，１５には、カード挿入方向（図１中、符号Ｘ１により示す）に沿って所定長さＬ１のスライドレール部２１，２２が形成されている。
【００２１】
一方、装置本体５の開口部５３の左右の側壁５４，５５には、カード挿入方向Ｘ１に沿って所内長さＬ２のスライド溝部５６，５７が形成されている。このスライド溝部５６，５７の長さＬ２は、カード挿入保持部１に形成されたスライドレール部２１，２２の長さＬ１よりも長く（Ｌ２＞Ｌ１）形成されており、少なくともその長さの差分Ｌ０（＝Ｌ２−Ｌ１）だけは、スライドレール部２１，２２がスライド溝部５６，５７内をカード挿入方向Ｘ１及びカード抜き取り方向Ｘ２（図１参照）に往復スライド移動可能となっている。つまり、カード挿入保持部１自体が装置本体５に対してカード挿入方向Ｘ１及びカード抜き取り方向Ｘ２に往復移動可能な構造となっている。
【００２２】
また、開口部５３の内奥部には、カード挿入保持部１の前面１６を受け止めるために受止壁６０（図４、図５参照）が設けられており、この受止壁６０とカード挿入保持部１の前面１６との間にコイルバネ６１が圧縮状態で介装されている。すなわち、カード挿入保持部１は、このコイルバネ６１の弾発力によって、常にカード抜き取り方向Ｘ２に付勢されている。
【００２３】
このとき、スライドレール部２１，２２の後端部２１ａ，２２ａがスライド溝部５６，５７の後端部５６ａ，５７ａに当接することで、カード挿入保持部１のカード抜き取り方向Ｘ２への移動が規制されており、この当接位置がカード挿入保持部１の本来の位置（すなわち、通常位置）となっている。図２及び図４はこの状態を示している。つまり、スライド溝部５６，５７の後端部５６ａ，５７ａがカード挿入保持部１の移動規制手段となっている。
【００２４】
なお、本実施形態では、スライド溝部５４，５５の前端部側（図１において左側）は開放されている。すなわち、スライドレール部２１，２２の前端部２１ｂ，２２ｂがスライド溝部５６，５７によっては規制されない構造となっている。従って、カード挿入保持部１は、実際には上記した差分Ｌ０以上にスライド可能となっている。図３及び図５は、カード挿入保持部１がカード挿入方向Ｘ１に押し込まれてコイルバネ６１がさらに圧縮された状態を示している。
【００２５】
また、カード挿入保持部１の底板部材１２の底面には、図４及び図５に示すように、装置本体側接続コネクタ部１１と電機的に接続されている第１コネクタ２５が設けられており、この第１コネクタ２５とメイン基板５２に設けられた第２コネクタ５８とがＦＰＣ５９にて接続された構造となっている。このように、カード挿入保持部１側の第１コネクタ２５とメイン基板５１側の第２コネクタ５８とをＦＰＣ５９で接続することで、カード挿入保持部１がカード挿入方向Ｘ１及びカード抜き取り方向Ｘ２に移動しても、メイン基板５１との電気的な接続が確保されるようになっている。
【００２６】
このような構成によれば、図２及び図４に示すようにカード８をカード挿入保持部１に挿入保持して、カード８の接続コネクタ部８１とカード挿入保持部１の接続コネクタ部１１とが接続された状態のときに、カード挿入口１７から突出しているカード部分８ｂにカード挿入方向Ｘ１の外力が不測に加わった場合には、その外力によってコイルバネ６１がさらに圧縮され、図３及び図５に示すように、カード挿入保持部１全体がカード挿入方向Ｘ１にスライド移動し、外力を迅速かつスムーズに吸収することになる。また、加わっていた外力が除かれると、コイルバネ６１の弾性復元力によってカード挿入保持部１が図２及び図４に示す正常位置までカード抜き取り方向Ｘ２に移動復帰する。
【００２７】
なお、上記構成では、カード挿入保持部１を通常位置（図２及び図４に示す位置）に保持するのは、コイルバネ６１の付勢力のみとなっている。そのため、上記の構造だけでは、コイルバネ６１のバネ荷重のばらつきや劣化などにより、カード挿入保持部１を通常位置に保持する保持力を一定に保つことは難しい。従って、保持力が低下している場合には、ユーザがカード８をカード挿入保持部１に挿入保持するときにも、カード挿入保持部１がカード挿入方向Ｘ１に若干移動し、ユーザに違和感を与える場合がある。
【００２８】
そこで、本実施形態では、このような保持力のばらつきを考慮し、かつ、ユーザに違和感を与えないためのさらなる工夫を施している。以下、図７及び図８を参照してこの工夫について説明する。ただし、図７は、図２に示すＤ−Ｄ線概略断面図、図８は、図３に示すＥ−Ｅ線概略断面図である。
【００２９】
すなわち、カード挿入保持部１の左右の側壁１４，１５にそれぞれ半球面状の係合凹部３１を形成するとともに、このカード挿入保持部１が正常位置（図７に示す位置）にあるときに対向する装置本体５の開口部５３の左右の側壁５４，５５に、係合凹部３１とそれぞれ係脱可能な先端部が半球状の係合ピン４１を設けている。係合ピン４１は、側壁５４，５５に円筒形状に形成されたピン保持部４２内に保持されており、ピン保持部４２内に介装された係合ピンバネ４３によって、カード挿入保持部１側の係合凹部３１に係合するように常に付勢されている。そして、挿入保持されたカード８にカード挿入方向Ｘ１の一定以上の外圧が加わると、係合ピンバネ４３の付勢力に抗して係合ピン４１の半球面状先端部４１ａが半球面状の係合凹部３１内をスライドして係合凹部３１から退出し（すなわち、図８に示すようにピン保持部４２内に退没し）、係合が解除されるようになっている。
【００３０】
ここで、係合を解除するための一定以上の外圧は、カード８をカード挿入保持部１に挿入保持するときの押圧力よりは大きく、かつ、カード８の接続コネクタ部８１及び／またはカード挿入保持部１側の接続コネクタ部１１が破損に至るときの圧力よりは小さい圧力となるように、係合ピンバネ４３の付勢力及び係合凹部３１の形状と係合ピン４１の先端部４１ａの形状とが設定されている。
【００３１】
これにより、ユーザがカード８を挿入するときには、カード挿入保持部１は通常位置に固定された状態となっているので、違和感なくスムーズに挿入することができる。
【００３２】
一方、カード挿入時の圧力より大きな圧力がカード８に加わった場合には、係合凹部３１と係合ピン４１との係合状態が解除されるので、カード挿入保持部１は、図８に示すようにカード挿入方向Ｘ１に沿ってスライド移動し、コイルバネ６１の圧縮によって、加わった外力を迅速かつスムーズに吸収して、接続コネクタ部分の破損を防止する。また、加わっていた外力が除かれると、コイルバネ６１の弾性復元力によってカード挿入保持部１が図７に示す正常位置までカード抜き取り方向Ｘ２に移動復帰する。このとき、係合ピンバネ４３の弾性復元力によって係合ピン４１が再び係合凹部３１に係合し、再び大きな外圧が加わらない限り、カード挿入保持部１のスライド移動が規制されることになる。
【００３３】
【発明の効果】
本発明のカード挿入保持部を有する情報処理装置によれば、挿入されたカードに外圧が加わると、この外圧をカード挿入保持部の弾性移動によって迅速かつスムーズに吸収する構造としたので、接続コネクタ部を外圧から保護し、破損を防止することができる。
【００３４】
また、本発明のカード挿入保持部を有する情報処理装置によれば、カード挿入保持部のカード挿入方向に直交する左右の側壁に係合凹部を形成するとともに、カード挿入保持部の左右の側壁に対向する装置本体側の左右の側壁に、係合凹部と係脱可能な係合突起部を設けた構造としたので、ユーザがカードを挿入するときには、カード挿入保持部は定位置に固定された状態となっているので、違和感なくスムーズに挿入することができる。一方、カード挿入時の圧力より大きな圧力がカードに加わった場合には、係合凹部と係合突起部の係合状態が解除されるように構成したので、カード挿入保持部は、カード挿入方向に沿ってスライド移動し、加わった外圧を迅速かつスムーズに吸収して、接続コネクタ部分の破損を防止することができる。
【図面の簡単な説明】
【図１】本発明のカード挿入保持部を有する情報処理装置の要部分解斜視図である。
【図２】本発明のカード挿入保持部を有する情報処理装置において、カードを挿入した状態を示す要部斜視図である。
【図３】本発明のカード挿入保持部を有する情報処理装置において、挿入したカードに外圧を加えたときの状態を示す要部斜視図である。
【図４】図２に示すＡ−Ａ線断面図である。
【図５】図３に示すＢ−Ｂ線断面図である。
【図６】図２に示すＣ−Ｃ線断面図である。
【図７】図２に示すＤ−Ｄ線概略断面図である。
【図８】図３に示すＥ−Ｅ線概略断面図である。
【図９】従来の情報処理装置のカード挿入保持部の構造の一例を示す要部斜視図である。
【図１０】従来の情報処理装置において、装置本体を一部を切除した状態の要部斜視図である。
【図１１】従来の情報処理装置において、装置本体を一部を切除した状態の要部斜視図である。
【符号の説明】
１  カード挿入保持部
５  装置本体
８  カード（カード一体型電子機器）
１１  装置本体側接続コネクタ
１２  底板部材
１３  天面
１４，１５  側面
１６  前面
１７  後面
１８  カード挿入口
１９  天板部材
２１，２２  スライドレール部
２１ａ，２２ａ  後端部（移動規制手段）
２５  第１コネクタ
３１  係合凹部
４１  係合ピン
４１ａ  先端部
４２  ピン保持部
４３  ピンバネ（第２付勢手段）
５１  内部底面
５２  メイン基板
５３  開口部
５４，５５  側壁
５６，５７  スライド溝部
５６ａ，５７ａ  後端部
５８  第２コネクタ
５９  ＦＰＣ
６０  受止壁
６１  コイルバネ（付勢手段）
Ｘ１  カード挿入方向
Ｘ２  カード抜き取り方向
【図１】
2005011213.tif 000003
【図２】
2005011213.tif 000004
【図３】
2005011213.tif 000005
【図４】
2005011213.tif 000006
【図５】
2005011213.tif 000007
【図６】
2005011213.tif 000008
【図７】
2005011213.tif 000009
【図８】
2005011213.tif 000010
【図９】
2005011213.tif 000011
【図１０】
2005011213.tif 000012
【図１１】
2005011213.tif 000013